(57)【特許請求の範囲】
【請求項１】
コンクリート製躯体の床に断熱層を設け、この断熱層上に防水層を設けて構築され、槽近傍に排水部を配設しながら躯体内部に蓄熱水を貯溜する蓄熱水槽において、
前記躯体の床と前記断熱層との間に、躯体の床に沿って縦横に延在する排水路を形成した排水層が設けられているとともに、前記排水路は躯体の連通路を介して前記排水部と連通していることを特徴とする蓄熱水槽。
【請求項２】
排水層は、不透水性材料により形成されていることを特徴とする請求項１記載の蓄熱水槽。
【請求項３】
排水層は、表裏面に向けて多数の凸部が設けられた凹凸形状を有する板材により形成され、この板材の凸部間の空間が排水路とされていることを特徴とする請求項１若しくは２記載の蓄熱水槽。
【請求項４】
排水層は、樹脂製材料により形成されていることを特徴とする請求項２若しくは３記載の蓄熱水槽。
【請求項５】
排水層は、耐腐食性を有する金属材料により形成されていることを特徴とする請求項２若しくは３記載の蓄熱水槽。
【請求項６】
請求項１ないし５記載のいずれかの蓄熱水槽において、コンクリート製体の床に断熱層を設け、この断熱層に防水層を設けることに代えて、コンクリート製体の床、内壁及び天井に断熱層を設け、この断熱層上に防水層を設けてなることを特徴とする蓄熱水槽。
【発明の詳細な説明】
【０００１】
【産業上の利用分野】
この発明は、蓄熱水槽に係り、特に、施工の大幅な向上が図られるとともに、信頼性の高い構造を得ることが可能な蓄熱水槽に関する。
【０００２】
【従来の技術】
図４に示すものは、熱エネルギーの有効利用を図るために、建築物の二重床構造を利用して構築された蓄熱水槽１である。
この蓄熱水槽１は、コンクリート製の底盤スラブ２、隔壁３ａ、側壁３ｂ及び天井スラブ（床スラブ）４により略直方体形状の躯体５が構築され、その内部空間を蓄熱水が貯溜される水槽部とされた構造である。そして、躯体５の内壁には、蓄熱水の熱放出を防止するため、押出ポリスチレンフォーム等の断熱材により形成された断熱層６が貼設されているとともに、底盤スラブ２、隔壁３ａ及び側壁３ｂに貼設された断熱層６上には、蓄熱水との接触を防止する防水層７が貼設されている。
【０００３】
ところで、若し、地盤内部からコンクリート製の躯体２を通過した湧水が断熱層６の下面側に浸入してしまうと、貯溜されている蓄熱水を抜いた時に、湧水による浮力若しくは水圧によって断熱層６が剥離してしまい、蓄熱水槽１の機能が損なわれるおそれがある。
そこで、図５にも示すように、躯体２の壁面全域には、グラウト材１０が注入されて湧水の浸入を防止する構造がとられている。また、浸入してきた水を導いて外部（湧水槽等）に排水する構造として、図６に示すように、底盤２に沿って水抜き用のチャンネル部材１１を配設し、浸入してきた湧水をチャンネル部材１１内部に導き、図示しない湧水槽まで案内して外部に排出させる構造も考えられている。
【０００４】
また、断熱層６の下部に水が浸入してしまった場合の断熱層６の剥離防止策として、図５に示すように、底盤スラブ２と断熱層６との間に接着剤１２を介在させて断熱層６と底盤スラブ２を接合する方法や、浮力以上の荷重を断熱層６に加えるため、防水層の上部全域に押さえコンクリート１３（若しくは、モルタル）を配設する方法がとられている。
【０００５】
【発明が解決しようとする課題】
しかしながら、躯体５（底盤スラブ２、隔壁３ａ、側壁３ｂ）にグラウト材１０を注入していく作業や、底盤スラブ２に水抜き用のチャンネル部材１１を配設する作業は、施工に多くの手間と時間が費やされ、施工期間及び施工費用の面で問題がある。
【０００６】
また、断熱層６を接着剤１２により底盤スラブ２に接合して断熱層６の剥離を防止する方法は、接着剤１２の耐久性の面で問題があり、また、防水層７の上部に押さえコンクリート１３等を配設して断熱層６の剥離を防止する方法は、防水層７の上で作業が行われるので、防水層７に亀裂等の欠陥を生じやすく、断熱層６への水の浸入路を形成してしまうおそれがある。
【０００７】
さらに、上述した断熱層６の剥離防止策では、断熱層６と水が直接接してしまうので、断熱層の断熱性能が低下し、長期間に渡って高性能の蓄熱水槽を得ることができない。
この発明は、上記事情に鑑みてなされたものであり、断熱層に向けて水が浸入してきても、断熱層と水の接触を防止し、且つ断熱層の剥離も防止することにより信頼性の高い構造を得ることが可能な蓄熱水槽を提供することを目的とする。
【０００８】
【課題を解決するための手段】
この発明の請求項１記載の蓄熱水槽は、コンクリート製躯体の床に断熱層を設け、この断熱層上に防水層を設けて構築され、槽近傍に排水部を配設しながら躯体内部に蓄熱水を貯溜する蓄熱水槽である。そして、前記躯体の床と前記断熱層との間には、躯体の床に沿って縦横に延在する排水路を形成した排水層が設けられているとともに、前記排水路は躯体の貫通路を介して前記排水部と連通している構造である。
【０００９】
また、請求項２記載の蓄熱水槽は、請求項１記載の構造において、排水層を不透水性材料により形成した構造である。
また、請求項３記載の蓄熱水槽は、請求項１若しくは２記載の構造において、排水層を、表裏面に向けて多数の凸部が設けられた凹凸形状を有する板材により形成し、この板材の凸部間の空間を排水路とした構造である。
【００１０】
また、請求項４記載の蓄熱水槽は、請求項２若しくは３記載の構造において、排水層を、樹脂製材料により形成した構造である。
また、請求項５記載の蓄熱水槽は、請求項２若しくは３記載の構造において、排水層を、耐腐食性を有する金属材料により形成した構造である。
さらに、請求項６記載の蓄熱水槽は、請求項１ないし５記載のいずれかの構造において、コンクリート製躯体の床に断熱層を設け、この断熱層に防水層を設けることに代えて、コンクリート製躯体の床、内壁及び天井に断熱層を設け、この断熱層上に防水層を設けてなる構造である。
【００１１】
【作用】
この発明の請求項１記載の蓄熱水槽によれば、躯体内部を通過して断熱層の下部に湧水が浸入してきても、湧水は、排水層に設けられた排水路に即座に導かれていき、躯体の連通路を介して排水部に排出されていく。これにより、断熱層に対して浮力が生じるおそれがなく、断熱層の剥離が確実に防止される。
【００１２】
また、若し、防水層の欠陥部から断熱層に向けて水が浸入してきたとしても、浸入した水は、排水路に即座に導かれていき、躯体の連通路を介して排水部に排出されていく。これにより、上述したと同様に断熱層の剥離が確実に防止される。
さらに、断熱層の剥離が防止されるので、従来の蓄熱水槽の構造において不可欠であった躯体防水作業、押さえコンクリートの打設作業が省略されるとともに、防水層上での作業が解消されるので、防水層の損傷防止が図られる。
【００１３】
また、請求項２記載の蓄熱水槽によれば、請求項１記載の作用に加えて、不透水性材料により形成されている排水層は、排水路に一時的に溜まった水と断熱層との接触を防止するので、吸水による断熱層の断熱性能の低下が防止される。
また、請求項３記載の蓄熱水槽によれば、請求項１若しくは２記載の作用に加えて、躯体の床に沿って排水層を設けるだけで排水路が形成されるので、施工時間の短縮化と省力化が図られる。
【００１４】
また、請求項４及び５記載の蓄熱水槽によれば、水に対する耐久性が向上するとともに、凹凸形状を容易に形成することが可能な排水層が得られる。
さらに、請求項６記載の蓄熱水槽によれば、コンクリート製躯体の床に断熱層を設け、この断熱層に防水層を設けることに代えて、コンクリート製躯体の床、内壁及び天井に断熱層を設け、この断熱層上に防水層を設けることから、請求項１ないし５記載のいずれかの作用が得られるとともに、さらに信頼性の高い構造となる。
【００１５】
【実施例】
以下、この発明の実施例を図１から図３を参照して説明する。なお、図４から図６に示したものと同一構成部分には、同一符号を付してその説明を省略する。図１に示す符号１５は湧水槽（排水部）であり、この湧水槽１５は、隣接する蓄熱水槽１の躯体５を構成している底盤スラブ２から排水されてきた水を一時的に貯溜する。そして、この湧水槽１５に貯溜された排水は、揚水ポンプ１６により外部に排出されるようになっている。そして、この湧水槽１５と蓄熱槽１の間の隔壁３ａには、互いの槽間を連通する排水管（連通路）１７が埋設されている。なお、図１における左側の蓄熱水槽１と右側の蓄熱水槽１の間の隔壁３ａにも、互いの槽間を連通する排水管（連通路）１９が埋設されているとともに、右側の蓄熱水槽１の底盤スラブ２には、地中に埋設された排水槽（排水部）２１と連通する排水管（連通路）２２が埋設されている。
【００１６】
ここで、湧水槽１５と連通する排水管１７の蓄熱槽１側の開口部１７ａは、図２に示すように、底盤スラブ２の内面（床）２ａを臨む位置において開口している。そして、底盤スラブ２の内面２ａ上には、排水層１８が設けられている。
この排水層１８は、ポリエチレン樹脂、ポリ塩化ビニールなどの樹脂製材料、若しくは、ステンレス鋼などの耐腐食性を有する金属材料により形成された板材である。この排水層１８は、図３に示すように、その表裏面に向けて多数の突起１８ａ…、１８ｂ…を設けた凹凸形状を有するように形成されている。
【００１７】
これにより、排水層１８は、裏面側に突出する突起１８ａ…が底盤スラブ２の内面２ａに当接し、表面側に突出する突起１８ｂが断熱層６の下面に当接する状態で配設される。ここで、裏面側に突出する突起１８ａ、１８ａ間の凹み部は、板材の縦方向及び横方向に連続する排水路１８ｃとされている。また、表面側に突出する突起１８ｂ、１８ｂ間の凹み部も、板材の縦方向及び横方向に連続する排水路１８ｄとされている。そして、排水層１８は、図２に示すように、排水路１８ｃ…、１８ｄ…の一部が前記排水管１７と連通するように底盤スラブ２の内面２ａ上に配設されている。
【００１８】
また、アンカー２０が、断熱層６及び排水層１８を貫通して底盤スラブ２に打ち込まれることにより、排水層１８は底盤スラブ１８に固着されている。
さらに、断熱層６の上部には、防水槽７が配設されて蓄熱水槽１の内面２ａの施工が完了する。
次に、上記構成の蓄熱水槽の作用について述べる。
【００１９】
本実施例のように構築された蓄熱水槽１は、底盤スラブ２を通過して断熱層６の下部に湧水が浸入してきても、湧水は、排水層１８に設けられた排水路１８ｃ…に即座に導かれて排水管１７まで移動していき、この排水管１７から湧水槽１５に排出されていく。これにより、断熱層６に対して浮力が生じるおそれがなく、断熱層６の剥離は確実に防止される。
【００２０】
また、若し、防水槽７に欠陥が生じて断熱層６に向けて水が浸入してきたとしても、浸入した水は、排水路１８ｄ…に即座に導かれて排水管１７まで移動していき、この排水管１７から湧水路１５に排出されていく。これにより、上述したと同様に断熱層６の剥離は確実に防止される。
さらに、排水層１８は、不透水性材料により形成されているので、排水路１８ｃ…、１８ｄ…に一時的に溜まった水と断熱層６との接触が防止され、吸水による断熱層６の断熱性能の低下が防止される。
【００２１】
一方、本実施例の蓄熱水槽１の構築段階においては、従来の蓄熱水槽の構造においては不可欠であった底盤スラブ２の内面２ａ、隔壁３ａ、天井スラブ４の内壁の躯体防水作業や、防水槽７上への押さえコンクリートの打設作業が行われないので、施工期間の短縮化が図られる。また、防水層７上での押さえコンクリート打設の作業が無くなるので、防水層７の損傷防止が図られる。
【００２２】
また、底盤スラブ２の内面２ａに排水層１８を設けるだけで排水路１８ｃ…、１８ｄ…が形成されるので、施工時間の短縮化と省力化が図られるとともに、ポリエチレン樹脂、ポリ塩化ビニールなどの樹脂製材料、若しくは、ステンレス鋼などの耐腐食性を有する金属材料からなる板材により簡単に凹凸形状が形成されるので、耐久性を向上させながら施工費用の低減化が図られる。
【００２３】
なお、図１における右側の蓄熱水槽１にも排水層１８が設けられているが、この排水層１８に湧水などが浸入しても、上述した作用と同様に、湧水は即座に排水槽２１まで排出される。
また、本実施例では、底盤スラブ２の内面２ａのみに排水層１８を設けた構造としているが、さらに、隔壁３ａ、天井スラブ４の内壁に排水層１８を設けることにより、さらに信頼性の高い蓄熱水槽を提供することができる。
【００２４】
また、本実施例の排水層１８は、突起を有する凹凸形状を有する板材を一例として示したが、本発明はこれに限ることはなく、波型状の板材であっても同様の作用効果を得ることができる。
また、隔壁３ａに埋設されている排水管１７、１９、２２は、常に支障なく排水が可能となるように、少なくとも２本以上埋設することが望ましい。
【００２５】
【発明の効果】
以上説明したように、この発明の請求項１記載の蓄熱水槽は、躯体内部を通過して断熱層の下部に湧水が浸入してきても、湧水は、排水層に設けられた排水路に即座に導かれて躯体の連通路を介して排水部に排出されていき、断熱層に対して浮力が生じるおそれがなく断熱層の剥離が確実に防止されるので、信頼性の高い蓄熱水槽を提供することができる。
【００２６】
また、若し、防水層の欠陥部から断熱層に向けて水が浸入してきたとしても、浸入した水は、排水路に即座に導かれていき、躯体の連通路を介して排水部に排出されていくの、上述した効果と同様に信頼性の高い蓄熱水槽を提供することができる。
また、従来の蓄熱水槽の構造において不可欠であった、躯体防水作業、押さえコンクリートの打設作業を必要としないので、施工能率を大幅に向上させることができる。さらに、押さえコンクリート打設作業の不要により、防水層上での作業が解消されるので、防水層の損傷を確実に防止することができる。
【００２７】
請求項２記載の蓄熱水槽は、請求項１の効果に加えて、不透水性材料により形成されている排水層が、排水路に一時的に溜まった水と断熱層との接触を防止するので、吸水による断熱層の断熱性能の低下を防止することができる。
また、請求項３記載の蓄熱水槽は、請求項１若しくは２記載の効果に加えて、躯体の壁面に沿って排水層を設けるだけで排水路が形成されるので、さらに、施工時間の短縮化と省力化を図ることができる。
【００２８】
また、請求項４及び５記載の蓄熱水槽は、請求項２若しくは３記載の効果に加え、水に対する耐久性が向上し、凹凸形状を容易に形成することが可能な排水層が得られるので、蓄熱水槽の施工費用の低減化を図ることができる。
さらに、請求項６記載の蓄熱水槽は、コンクリート製躯体の床に断熱層を設け、この断熱層に防水層を設けることに代えて、コンクリート製躯体の床、内壁及び天井に断熱層を設け、この断熱層上に防水層を設けることにより、請求項１ないし５記載のいずれかの効果が得られるとともに、さらに信頼性の高い蓄熱水槽を提供することができる。
【図面の簡単な説明】
【図１】この発明の蓄熱水槽全体を示す断面図である。
【図２】この発明の蓄熱水槽の内壁構造を示す要部断面図である。
【図３】排水層の具体的構造を示す斜視図である。
【図４】従来の蓄熱水槽全体を示す断面図である。
【図５】従来の蓄熱水槽の内面構造を示す要部断面図である。
【図６】排水路を設けた従来の蓄熱水槽を示す要部断面図である。
【符号の説明】
１  蓄熱水槽
２  底盤スラブ（躯体）
２ａ  底盤スラブの内面（床）
５  躯体
６  断熱層
７  防水層
１５  湧水槽（排水部）
１７、１９、２２  排水管（連通路）
１８  排水層
１８ａ、１８ｂ  突起
１８ｃ、１８ｄ  排水路
２１  排水槽（排水部）
【図１】
0003623253.tif 000002
【図２】
0003623253.tif 000003
【図３】
0003623253.tif 000004
【図４】
0003623253.tif 000005
【図５】
0003623253.tif 000006
【図６】
0003623253.tif 000007